(57)【特許請求の範囲】
【請求項１】
給水路を備えた吐水口本体と吐水口本体の下部側に設けられる吐水キャップを有し、
さらに、吐水キャップは、中央部が閉塞部材で閉塞されており、止水流路を形成する一方、前記中央部のまわりに散水流路を形成して成り、
吐水口本体には、閉塞部材によって閉塞された第１チャンバと、前記散水流路に連通する第２チャンバとを備えた分流部材が内蔵され、
前記止水流路と散水流路とを切り換えるよう構成されている止水機構付シャワーヘッドであって、
前記分流部材の上面板に、それぞれ第１チャンバ及び第２チャンバに対応させて、前記給水路に連通する弁座を設けると共に、前記吐水口本体の上部側の空間部に、上下方向の軸芯まわりで回動可能に弁体保持部材を設け、この弁体保持部材に、回動に伴って第１チャンバに連通する弁座流路と第２チャンバに連通する弁座流路を択一的に開弁させる止水弁体を、スプリングによって閉弁方向に付勢させて設けると共に、前記弁体保持部材に回動操作具を連設し、かつ、この回動操作具を吐水口本体に露出させて成り、
前記回動操作具の回動軸部は、分流部材の前記上面板に立設するピンと、前記回動操作具に穿設した溝付孔と、この孔に嵌入係合するよう弁体保持部材に形成されたスプライン軸とを含むことを特徴とする止水機構付シャワーヘッド。
【請求項２】
前記回動操作具は、前記スプライン軸が嵌入係合されている前記溝付孔を中央に有し、また、前記スプライン軸を支点として、前記回動操作具の両端のうち一方を押し下げると他方が上がり他方を押しり下げると一方が上がるよう構成されている請求項１に記載の止水機構付シャワーヘッド。
【発明の詳細な説明】
【０００１】
【発明の属する技術分野】
本発明は、それ自体に止水機構を取り付けた新規な止水機構付シャワーヘッドに関する。
【０００２】
【従来の技術および発明が解決しようとする課題】
洗髪シャワーを備えた湯水混合栓は、洗面台に設置されて、手洗い用の水栓として使用できるだけでなく、洗面台を用いて洗髪をすることも可能とする所謂「朝シャン」用の湯水混合栓であるが、洗髪シャワー自体には直放水と散水の切り換え用のボタンしか設置されておらず、そのため、吐水、止水を、混合栓本体に備わった湯水の混合比と止水を含む吐水量の調整を行うためのレバー操作で行う必要があり、洗髪する際、顔をうつむけたままでの吐水、止水操作が難しく、大変不便であった。
【０００３】
本発明はこのような実情を考慮に入れてなされたものであって、洗面台で洗髪する際、顔をうつむけたままでも容易に吐水、止水操作ができる止水機構付シャワーヘッドを提供することを目的としている。
【０００４】
【課題を解決するための手段】
すなわち、本発明の止水機構付シャワーヘッドは、給水路を備えた吐水口本体と吐水口本体の下部側に設けられる吐水キャップを有し、
さらに、吐水キャップは、中央部が閉塞部材で閉塞されており、止水流路を形成する一方、前記中央部のまわりに散水流路を形成して成り、
吐水口本体には、閉塞部材によって閉塞された第１チャンバと、前記散水流路に連通する第２チャンバとを備えた分流部材が内蔵され、
前記止水流路と散水流路とを切り換えるよう構成されている止水機構付シャワーヘッドであって、
前記分流部材の上面板に、それぞれ第１チャンバ及び第２チャンバに対応させて、前記給水路に連通する弁座を設けると共に、前記吐水口本体の上部側の空間部に、上下方向の軸芯まわりで回動可能に弁体保持部材を設け、この弁体保持部材に、回動に伴って第１チャンバに連通する弁座流路と第２チャンバに連通する弁座流路を択一的に開弁させる止水弁体を、スプリングによって閉弁方向に付勢させて設けると共に、前記弁体保持部材に回動操作具を連設し、かつ、この回動操作具を吐水口本体に露出させて成り、
前記回動操作具の回動軸部は、分流部材の前記上面板に立設するピンと、前記回動操作具に穿設した溝付孔と、この孔に嵌入係合するよう弁体保持部材に形成されたスプライン軸とを含むことを特徴としている。
【０００５】
【発明の実施の形態】
図１〜図５は本発明のシャワーヘッドを備えた湯水混合栓１の一実施形態を示しており、まず、図５において、湯水混合栓１は、給湯管Ｂおよび給水管Ｗから流入する湯および水を適宜混合して混合水Ｍを混合水供給管２ａに供給する混合栓本体２と、混合栓本体２から供給される混合水Ｍを吐水する洗髪シャワー（シャワーヘッドの一例）３と、洗髪シャワー３と混合水供給管２ａとを接続する可撓管４とを有している。
【０００６】
２ｂ，２ｃはそれぞれ配管Ｂ，Ｗに連通連結されるサプライ管であり、２ｄは混合水供給管２ａに供給される湯水の混合比と止水を含む吐水量の調整を行う操作レバーである。
【０００７】
洗髪シャワー３は内部に可撓管４を挿通できるシャワーホルダー３ａに支持されており、シャワーホルダー３ａの先端部３ｂから引出し可能となっている。そして、シャワーホルダー３ａの下端部３ｃから引き出された可撓管４はガイド５内を通った状態で前記混合水供給管２ａに連通するように接続される。なお、６は可撓管４の途中に設けられた重りである。
【０００８】
以下、洗髪シャワー３について説明する。
図１〜図４において、１１は合成樹脂製の吐水口本体で、可撓管４に対する接続用の給水路１３を横側部に備えている。
【０００９】
１４は吐水口本体１１の下部側に螺着される合成樹脂製の吐水キャップであって、中央部が閉塞部材１５で閉塞され、止水流路Ｓを形成する一方、前記中央部のまわりに散水用の流路１６を形成して成り、この散水流路１６の吐水口部には、例えばメッシュの周囲を合成樹脂材で縁取りした複数枚の散水板１７…が設けられている。
【００１０】
１８は吐水口本体１１に内蔵された合成樹脂製の分流部材で、閉塞部材１５によって閉塞された第１チャンバ１９と、前記散水流路１６に連通する第２チャンバ２０とを備えている。
【００１１】
２１は止水流路Ｓと散水流路１６とを切り換えるための弁機構で、図４（Ｂ）、図３（Ｂ）にも示すように、前記分流部材１８の上面板１８ａに、それぞれ第１及び第２チャンバ１９，２０に対応させて、前記給水路１３に連通する弁座２２，２３を設けると共に、前記吐水口本体１１の上部側の空間部に、上下方向の軸芯まわりで回動可能に合成樹脂製の弁体保持部材２４を設け、この弁体保持部材２４に、回動に伴って弁座流路ａ，ｂを択一的に開弁させる金属製のボール弁体（止水弁体）２５を、スプリング２６によって閉弁方向に付勢させて設けると共に、この弁体保持部材２４に回動操作具（ボタン）２７を連設し、かつ、この操作具２７を吐水口本体１１の横側部に露出させて成る。この操作具２７の回動軸部は、分流部材１８の前記上面板１８ａに立設するピン２９と、回動操作具２７に穿設した溝３０ａ付孔３０と、この孔３０に嵌入係合するよう弁体保持部材２４に形成されたスプライン軸３１とで構成される。
【００１２】
上記の構成によれば、前記ボール弁体２５による弁座流路ａ，ｂの択一的な開弁の操作によって、図４に示すように、弁座流路ａを開いて止水流路Ｓを形成する止水状態と、図３に示すように、弁座流路ｂを開いて給水路１３を散水流路１６に連通させる散水の吐水状態とを、確実に切り換え現出させることができる。なお、３８は、弁座流路ａを形成する開口、３９は、弁座流路ｂを形成する開口である。
【００１３】
更に、可撓管４の最上流端、すなわち、可撓管４の混合水供給管２ａ側に、本出願人が特願平１０−１７３６０３号（特開２０００−９２４３号）で提案した減圧弁３３を設けている。この減圧弁３３によって、洗髪の際は、混合栓本体２の操作レバー２ｄを吐水状態にした上で、洗髪シャワー３の前記回動操作具２７を操作して散水するが、散水途中で回動操作具２７を止水操作したとき、可撓管４の圧力が所定圧よりも高くなると弁体４０が弁座であるシールパッキン４１に当接して閉弁することで、吐水量の調整ならびに安定を図ることができる。
【００１４】
しかも、減圧弁３３の一次側流入口４３に本出願人が特願平９−２４９８７１号（特開平１１−８１４００号）で提案した簡易着脱機構の継手４２を設け、この継手４２と、混合水供給管２ａの最下流端に設けた継手４４との接続に簡易着脱機構を採用することで、混合水供給管２ａと可撓管４の接続をワンタッチで簡単に行える。
【００１５】
図６および図７は、給水路１３に連通する弁座２２，２３に、ボール弁体２５の一部が嵌入可能な大きさを有する有底の溝５０ならびに開口５１が形成された副弁座板５９を載置し、この載置時に、弁座流路ａを形成する開口３８に前記開口５１を整合させると後述する直放水の吐水状態を実現できる一方、弁座流路ｂを形成する開口３９に開口５１を整合させると散水の吐水状態を実現できるように構成した参考例を示す。
【００１６】
この場合、上記実施形態のような閉塞部材１５は除去され、吐水キャップ１４の中央部に直放水の流路５５が形成されている。そして、直放水の流路５５のまわりに散水用の流路１６を形成してある。更に、それぞれ直放水流路５５と散水流路１６の吐水口部には、例えばメッシュの周囲を合成樹脂材で縁取りした複数枚の散水板５７，５７’…が設けられている。しかも、合成樹脂製の分流部材１８は、前記直放水流路５５に連通する第１チャンバ６０と、前記散水流路１６に連通する第２チャンバ２０とを備えている。
【００１７】
上記の構成によれば、副弁座板５９の開口５１を開口３９に整合させると散水の吐水状態を実現できる。また、副弁座板５９の開口５１を開口３８に整合させると直放水の吐水状態を実現できる。
【００１８】
【発明の効果】
以上詳述したように本発明では、洗面台で洗髪する際、顔をうつむけたままでも容易に吐水、止水操作ができる止水機構付シャワーヘッドを提供できる効果がある。
【図面の簡単な説明】
【図１】  本発明の一実施形態を示す要部構成説明図である。
【図２】  上記実施形態における要部分解斜視図である。
【図３】  （Ａ）は上記実施形態における散水の状態を示す縦断面図である。
（Ｂ）は上記実施形態における散水の状態を示す平面図である。
【図４】  （Ａ）は上記実施形態における止水の状態を示す縦断面図である。
（Ｂ）は上記実施形態における止水の状態を示す平面図である。
【図５】  上記実施形態を含む湯水混合栓の全体構成を示す斜視図である。
【図６】  参考例を示す要部構成説明図である。
【図７】  上記参考例における要部分解斜視図である。
【符号の説明】
１…湯水混合栓、２…混合栓本体、２ａ…混合水供給管、３…洗髪シャワー（シャワーヘッド）、４…可撓管、１１…吐水口本体、１３…給水路、１４…吐水キャップ、１５…閉塞部材、１６…散水流路、１８…分流部材、１８ａ…上面板、１９…第１チャンバ、２０…第２チャンバ、２２，２３…弁座、２４…弁体保持部材、２５…ボール弁体（止水弁体）、２６…スプリング、２７…回動操作具、２９…ピン、３０…孔、３０ａ…溝、３１…スプライン軸、ａ，ｂ…弁座流路、Ｓ…止水流路。
【図１】
0004199346.tif 000002
【図２】
0004199346.tif 000003
【図３】
0004199346.tif 000004
【図４】
0004199346.tif 000005
【図５】
0004199346.tif 000006
【図６】
0004199346.tif 000007
【図７】
0004199346.tif 000008